(57)【特許請求の範囲】
【請求項１】
本体ユニットと、
カードに記録された情報を読み取るカードリーダユニットと、を備え、
前記本体ユニット及びカードリーダユニットは、それぞれ、対向する平行な一対の主面を有する板状の形状を有し、
前記本体ユニットは、所定の側部に、当該所定の側部の延設方向に延びる回転軸心を中心として回転可能なリンク部材を有し、
前記リンク部材は、
前記回転軸心から半径方向に離れた側の端部において、前記カードリーダユニットの一方の主面に固定され、
前記カードリーダユニットが、前記回転軸心を中心として、前記本体ユニットの前記所定の側部の側方において、前記本体ユニットの一方の主面と当該カードリーダユニットの前記一方の主面とが対向して略平行となる第１の回転位置と、前記本体ユニットの他方の主面と当該カードリーダユニットの前記一方の主面とが対向して略平行となる第２の回転位置との間で回転可能となるように、前記カードリーダユニットを支持し、
前記カードリーダユニットは、前記回転軸心に対して略直交する所定の側部にカード挿入用スリットを有し、
前記カード挿入用スリットは、挿入されたカードのカード面が前記カードリーダユニットの各主面に平行となり、かつカードのスライド移動方向が前記カードリーダユニットの前記所定の側部の延設方向となるように形成されている、
電子機器。
【請求項２】
前記リンク部材は、前記カードリーダユニットと前記本体ユニットとを着脱可能なように連結する、
請求項１に記載の電子機器。
【請求項３】
前記本体ユニットはタブレット型コンピュータである、
請求項１または請求項２に記載の電子機器。
【発明の詳細な説明】
【技術分野】
【０００１】
本開示は、カードリーダを有する電子機器に関する。
【背景技術】
【０００２】
特許文献１は、カードリーダユニットを有する据え置き型のキーボード装置を開示している。カードリーダユニットは、キーボード装置本体の右側部の側方に配置され、上面に、カードを前後方向にスライド移動させることが可能なカード挿入用スリットを有する。カードリーダユニットは、キーボード装置の左右方向に延びる回転軸心を中心として所定範囲で回転可能であり、その上面の傾きを変更することにより、カードのスライド角度を変更可能に構成されている。
【０００３】
特許文献２は、カードリーダ機能を備え、上側の側部にカード挿入用スリットを有するタブレット型の通信装置を開示している。
【先行技術文献】
【特許文献】
【０００４】
【特許文献１】特開平５−１５０８７６号公報
【特許文献２】特表２０１５−５１０１６８号公報
【発明の概要】
【発明が解決しようとする課題】
【０００５】
本開示は、カードリーダを有する電子機器を様々な機器姿勢で利用可能とする技術を提供する。
【課題を解決するための手段】
【０００６】
本開示の電子機器は、
本体ユニットと、
カードに記録された情報を読み取るカードリーダユニットと、を備える。
本体ユニット及びカードリーダユニットは、それぞれ、対向する平行な一対の主面を有する板状の形状を有する。
本体ユニットは、所定の側部に、当該所定の側部の延設方向に延びる回転軸心を中心として回動可能なリンク部材を有する。
リンク部材は、
回転軸心から半径方向に離れた側の端部において、カードリーダユニットの一方の主面に固定され、
カードリーダユニットが、回転軸心を中心として、本体ユニットの所定の側部の側方において、本体ユニットの一方の主面と当該カードリーダユニットの一方の主面とが対向して略平行となる第１の回転位置と、本体ユニットの他方の主面と当該カードリーダユニットの一方の主面とが対向して略平行となる第２の回転位置との間で回転可能となるように、カードリーダユニットを支持する。
カードリーダユニットは、回転軸心に対して略直交する所定の側部にカード挿入用スリットを有する。
カード挿入用スリットは、挿入されたカードのカード面がカードリーダユニットの各主面に平行となり、かつカードのスライド移動方向がカードリーダユニットの所定の側部の延設方向となるように形成されている。
【発明の効果】
【０００７】
本開示によれば、カード挿入用スリットに沿ってスライド移動されたカードは、本体ユニットとカードリーダユニットとがどのような相対回転状態にある場合でも、本体ユニットに当接しない。そのため、ユーザにおいて、カードリーダを有する電子機器を、本体ユニットとカードリーダユニットとを所望の回転状態に回転させて、種々の機器姿勢で利用可能となる。
【図面の簡単な説明】
【０００８】
【図１Ａ】実施形態１のタブレット型コンピュータの斜視図である。
【図１Ｂ】実施形態１のタブレット型コンピュータの斜視図である。
【図２Ａ】図１ＡのＡ−Ａ線による断面図である。
【図２Ｂ】図１ＢのＢ−Ｂ線による断面図である。
【図３】図１ＡのＣ−Ｃ線による断面図である。
【図４Ａ】カードリーダユニットを連結したタブレット型コンピュータの斜視図である。
【図４Ｂ】カードリーダユニットを連結したタブレット型コンピュータの斜視図である。
【図５】カードリーダユニットをその連結部側から見た斜視図である。
【図６Ａ】図１Ｂの矢印Ｄによる矢視図である。
【図６Ｂ】図６ＡのＥ−Ｅ線による断面図である。
【図７Ａ】図５の矢印Ｆによる矢視図である。
【図７Ｂ】図７ＡのＧ−Ｇ線による断面図である（係合状態）。
【図７Ｃ】図７ＡのＧ−Ｇ線による断面図である（係合解除状態）。
【図８Ａ】図４Ｂの矢印Ｈによる斜視図である。
【図８Ｂ】図４Ｂの矢印Ｊによる斜視図である。
【図９】カードリーダユニットとタブレット型コンピュータとを相対回転させた状態のいくつかの例を示す図である。
【図１０】カードリーダ付きタブレット型コンピュータの利用態様を説明する図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
１．構成
１−１．タブレット型コンピュータ
図１Ａ、図１Ｂは、実施形態１のタブレット型コンピュータの斜視図である。図１Ａ、図１Ｂ及びその他の図において、適宜、説明に用いる方向の定義を示している。上、下と示している方向は装置（タブレット型コンピュータ）の厚み方向（以下適宜「装置厚み方向」という）であり、タブレット型コンピュータのほぼ平行な主面に直行する方法である。左、右と示している方向は装置の幅方向（以下適宜「装置幅方向」という）である。奥、手前と示している方向は装置の奥行方向（以下適宜「装置奥行き方向」という）である。なお、これらの方向の定義は使用する際や設置する際の向きを限定するものではない。
【００１２】
タブレット型コンピュータ１は、本体部１００と、連結ユニット２００とを有する。
【００１３】
本体部１００は、タブレット型コンピュータ１としての主機能を提供する。
【００１４】
連結ユニット２００は、拡張機能を提供する種々の拡張機器をタブレット型コンピュータ１に対して着脱可能なように連結する。
【００１５】
１−１−１．本体部
本体部１００は、一方の主面１００ｆに表示部１０１を備える。表示部１０１は、例えば液晶ディスプレイにより構成される。また、表示部１０１は、タッチされた位置を示す信号を出力するポインティングデバイスとしての機能を有する。
【００１６】
また、本体部１００は、内部に、制御部、記憶部、各種の入出力インタフェース部品等を有する（図示せず）。記憶部は、例えばＲＡＭ、ＲＯＭ、ＨＤＤ、ＳＳＤ等を利用して構成され、プログラム（ＯＳ、各種アプリケーションブログラム等を含む）、及び種々のデータを格納している。プログラムは、本実施形態のタブレット型コンピュータ１の各種機能を実現するためのプログラムを含む。制御部は、例えばＣＰＵ、ＭＰＵ等を利用して構成される。制御部は、記憶部から読み出した上記プログラムに基づいて種々のデータ等を利用して演算処理を行うことにより、タブレット型コンピュータ１における各種の機能を実現する。入出力インタフェースは、拡張機器との間で各種信号を送受信するためのインタフェースである。
【００１７】
１−１−２．連結ユニット
連結ユニット２００は、本体部１００の装置奥行き方向の手前側の側部１００ａ（以下適宜「所定側部１００ａ」という）の側方に配置されている。本体部１００の所定側部１００ａは、装置幅方向中央において、装置奥行き方向の手前側に凹んだ形状を有しており、これにより、所定側部１００ａの側方に凹部１００ｂが形成されている。連結ユニット２００は、当該凹部１００ｂを利用して配置される。また、連結ユニット２００は、所定側部１００ａの延設方向に平行に延びる所定の回転軸心Ｘｒを中心として、収容凹部１００ｂ内において、ほぼ３６０°回転可能なように本体部１００により支持されている。図１Ａは、連結ユニット２００が所定回転位置にある状態を示す。所定回転位置とは、連結ユニット２００の連結部２０５が本体部１００の所定側部１００ａに収容凹部１００ｂ部分において近接し、かつ対向することにより、後述する連結部２０５が隠蔽される位置である。なお、対向は、正対に限定されない。図１Ｂは、連結ユニット２００が所定回転位置以外の回転位置にある状態の一例を示す。
【００１８】
連結ユニット２００は、当該連結ユニット２００の外表面を構成するハウジング２１０を有する。
【００１９】
図２Ａは、図１ＡのＡ−Ａ線による断面図である。図２Ｂは、図１ＢのＢ−Ｂ線による断面図である。図２Ａは、連結ユニット２００が第１回転位置にある状態を示す。図２Ｂは、連結ユニット２００が第２回転位置にある状態を示す。図２Ａに示すように、連結ユニット２００が所定回転位置にあるとき、連結ユニット２００の連結部２０５と、本体部１００の所定側部１００ａとが収容凹部１００ｂ部分において対向しかつ近接する。また、連結ユニット２００の連結部２０５と本体部１００の所定側部１００ａとが対向する状態において、連結ユニット２００の外表面と本体部１００の外表面とが略面一となるように、これらの外表面が形成されている。
【００２０】
一方、図２Ｂに示すように、連結ユニット２００が所定回転位置以外の位置にあるとき、連結ユニット２００の連結部２０５は、外部に露出する。なお、図２Ｂは、所定回転位置に対して１８０°回転させた状態を示す。これにより、連結ユニット２００の連結部２０５に拡張機器を装着することができる。
【００２１】
次に、連結ユニット２００を本体部１００により回転可能に支持する構造について説明する。図３は、図１ＡのＣ−Ｃ線による断面図である。図３に示すように、本体部１００の筐体１１０には、収容凹部１００ｂの側方の支持部１１１において、所定側部１００ａの延設方向（装置幅方向）に延びる回転軸孔１１１ａが形成されている。支持部１１１には、収容凹部１００ｂ側の面において、嵌合凹部１１１ｂが形成されている。連結ユニット２００のハウジング２１０の装置幅方向両端側には、嵌合突部２１１ｂが形成されている。嵌合突部２１１ｂは、嵌合凹部１１１ｂ内で、ネジ軸１１２（回転軸心Ｘｒ）を中心としてほぼ３６０°回転可能なように嵌合されている。これにより、連結ユニット２００は、本体部１００によりほぼ３６０°回転可能なように支持される。
【００２２】
また、本体部１００は、連結ユニット２００を、任意の回転位置において保持する保持機構を有する。保持機構としては種々の公知技術が利用可能であり、詳しい説明を省略する。
【００２３】
１−２．拡張機器
拡張機器は、例えばカードリーダユニット、バーコードリーダユニット、キーボードユニットである。ここでは、拡張機器がカードリーダユニットである場合を説明する。図４Ａ、図４Ｂは、カードリーダユニットを連結したタブレット型コンピュータの斜視図である。図５は、カードリーダユニット３００の斜視図である。図５は、カードリーダユニット３００において連結部が設けられた面側を示している。
【００２４】
これらの図に示すように、カードリーダユニット３００は、略矩形の長板状の形状を有する。カードリーダユニット３００の装置幅方向の一端側には、カードを挿入してスライド移動させることが可能なカード挿入用スリット３５１が形成されている。また、カードリーダユニット３００には、カード挿入用スリット３５１の近傍において、カードに記録された情報を読み取り可能なカードリーダ部３５０が内蔵されている。図５に示されるように、カードリーダユニット３００において連結部３１０が設けられる面には、コネクタ３３０が設けられている。
【００２５】
このような構成において、カード挿入用スリット３５１にカードが挿入されてスライド移動されると、カードリーダ部３５０は、カードに電気的あるいは磁気的に記録された情報を読み取る。カードリーダ部３５０は、読み取った情報をカードリーダユニット３００のコネクタ３３０から出力する。タブレット型コンピュータ１の本体部１００は、カードリーダユニット３００のコネクタ３３０から出力された情報を、連結ユニット２００のコネクタ２２０を介して入力する。タブレット型コンピュータ１の本体部１００は、入力した情報に基づいて種々の演算処理を行う。
【００２６】
本実施形態では、前述のように連結ユニット２００が本体部１００に対して回転可能である。そのため、カードリーダユニット３００は、タブレット型コンピュータ１に対して図４Ａや図４Ｂに示す回転位置やその中間の任意の回転位置に回転可能である。したがって、ユーザは、カードリーダユニット３００を、タブレット型コンピュータ１に対して所望の任意の回転位置に回転させ、その状態でカード挿入用スリット３５１にカードを挿入してスライドすることができる。
【００２７】
カードリーダユニット３００は、利用者が把持可能なハンドルとして利用可能なように構成されている。具体的に、カードリーダユニット３００は長板状の部材であり、その中央部に貫通孔３０１を形成することにより、利用者が把持可能な把持部３０２が形成されている。これにより、利用者は、図４Ａに示す状態のカードリーダユニット３００の把持部を把持することにより、カードリーダユニット３００を連結したタブレット型コンピュータ１を把持ハンドル付きの鞄のような態様で保持することが可能となる。
【００２８】
１−３．連結構造
連結ユニット２００と拡張機器とを着脱可能なように連結する連結構造について説明する。
【００２９】
１−３−１．連結ユニット側の連結構造
【００３０】
図２Ａ、図２Ｂに示すように、連結ユニット２００のハウジング２１０は、Ｕ字状ハウジング２１１と、連結板２１２とを有する。
【００３１】
Ｕ字状ハウジング２１１は、回転軸心Ｘｒに垂直な断面の形状がＵ字状の形状を有する。
【００３２】
連結板２１２は、回転軸心Ｘｒに垂直な断面の形状がＩ字状の形状を有する。
【００３３】
図６Ａは、図１Ｂの矢印Ｃによる矢視図である。図６Ｂは、図６ＡのＥ−Ｅ線による断面図である。
【００３４】
図６Ａ、図６Ｂに示すように、連結板２１２は、基準面部２１２ｃと、凹状壁部２１２ａと、凸状壁部２１２ｂとを有する。
【００３５】
凹状壁部２１２ａは、基準面部２１２ｃをハウジング２１０の内部側に凹ませることにより形成されている。凸状壁部２１２ｂは、基準面部２１２ｃをハウジング２１０の外部側に突出させることにより形成されている。凹状壁部２１２ａと凸状壁部２１２ｂとにより、操作部材収容空間Ｘが形成される。
【００３６】
操作部材収容空間Ｘには、操作部材２３１と、バネ２３２とが収容される。
【００３７】
操作部材２３１は、操作部２３１ａと、係合部２３１ｂと、バネ受け部２３１ｃとを有する。
【００３８】
操作部２３１ａは、Ｕ字状ハウジング２１１の側面に形成された開口２１１ａを介してハウジング２１０の外部に突出するように形成されている。開口２１１ａは、回転軸心Ｘｒの延設方向に延存する長孔である。
【００３９】
バネ受け部２３１ｃは、操作部材収容空間Ｘにおいて、凹状壁部２１２ａの縦壁部２１２ｄ側に延びる。
【００４０】
操作部材２３１は、操作部材収容空間Ｘ内において装置幅方向（回転軸心Ｘｒ方向）に移動可能である。
【００４１】
バネ２３２は、コイルバネである。バネ２３２の一端部はバネ受け部２３１ｃに嵌められ、バネ２３２の他端部は縦壁部２１２ｄに係止される。これにより、バネ２３２は、操作部材２３１を縦壁部２１２ｄから離れる側に付勢する。
【００４２】
１−３−２．拡張機器側の連結部の構造
拡張機器側の連結部の構造について説明する。図５は、カードリーダユニット３００の斜視図である。図５は、カードリーダユニット３００において連結部が設けられた面側を示している。なお、ここで、具体例として拡張機器がカードリーダユニット３００である場合について説明するが、拡張機器の連結部は、拡張機器の種類によらず同一の構造を有する。
【００４３】
カードリーダユニット３００は、タブレット型コンピュータ１の連結ユニット２００の連結部２０５に連結可能な連結部３１０を有する。連結部３１０は、左右一対の連結板３２０と、左右の連結板３２０の間に配置されたコネクタ３３０とを有する。連結部３１０は、カードリーダユニット３００の一方の主面３００ｒに設けられている。
【００４４】
図７Ａは、図５の矢印Ｆによる矢視図である。図７Ｂは、図７ＡのＧ−Ｇ線による断面図である。図７Ｂにおいて、カードリーダユニット３００と連結ユニット２００とを連結した状態での連結ユニット２００側の構造を二点鎖線で示す。
【００４５】
図５、図７Ａ、図７Ｂに示すように、連結板３２０は、突出部３２０ａと、係合凹部３２０ｂと、凹部３２０ｃとを有する。
【００４６】
突出部３２０ａは、連結板３２０の基準面部２１２ｃに対して外部側に突出する突部である。突出部３２０ａは、カードリーダユニット３００と連結ユニット２００とを連結した状態において、連結ユニット２００の連結板２１２の凹状壁部２１２ａと嵌合する形状及び位置関係で形成されている。
【００４７】
凹部３２０ｃは、連結板３２０の基準面部２１２ｃに対して内部側に凹む凹部である。凹部３２０ｃは、カードリーダユニット３００が連結ユニット２００に装着されたときに、連結ユニット２００の連結板２１２の凸状壁部２１２ｂと嵌合する形状及び位置関係で形成されている。
【００４８】
係合凹部３２０ｂは、突出部３２０ａの側部に形成された凹部である。係合凹部３２０ｂは、カードリーダユニット３００が連結ユニット２００に装着されたときに、連結ユニット２００の操作部材２３１の係合部２３１ｂと嵌合する形状及び位置関係で形成されている。
【００４９】
上記のような連結構造の作用について図７Ｂ、図７Ｃを参照して説明する。
【００５０】
まず図７Ｂを参照して、カードリーダユニット３００が連結ユニット２００に連結された状態においてユーザにより操作部２３１ａが操作されていない場合の作用を説明する。この場合、操作部材２３１は、二点鎖線で示すようにバネ２３２により縦壁部２１２ｄから離れる側に付勢される。これにより、連結ユニット２００の操作部材２３１の係合部２３１ｂと、カードリーダユニット３００の連結板３２０の係合凹部３２０ｂとは、互いに係合した状態となる。そのため、カードリーダユニット３００を連結ユニット２００から取り外すことが不可能となる。
【００５１】
一方、カードリーダユニット３００が連結ユニット２００に連結された状態において、ユーザにより操作部２３１ａが操作されると（回転軸心Ｘｒ方向において縦壁部２１２ｄ側に所定量移動されると）、図７Ｃに二点鎖線で示すように操作部材２３１が回転軸心Ｘｒ方向において縦壁部２１２ｄ側に移動される。これにより、連結ユニット２００の操作部材２３１の係合部２３１ｂと、カードリーダユニット３００の連結板３２０の係合凹部３２０ｂとの係合が解除される。そのため、カードリーダユニット３００を連結ユニット２００から取り外すことが可能となる。
【００５２】
１−４．カードリーダユニットに関する詳細構造
本実施形態では、上述のタブレット型コンピュータ１とカードリーダユニット３００とを連結することにより、タブレット型コンピュータ１とカードリーダユニット３００とを含むカードリーダ付きタブレット型コンピュータとして機能する。
【００５３】
本実施形態では、カードリーダユニット３００とタブレット型コンピュータ１とがどのような相対回転位置にある場合でも、カード挿入用スリット３５１に挿入されてスライド移動されたカードがタブレット型コンピュータ１に干渉しないように、以下の構成を採用している。
【００５４】
図８Ａは、図４Ｂの矢印Ｈによる斜視図である。図８Ｂは、図４Ｂの矢印Ｊによる斜視図である。カードリーダユニット３００は、回転軸心Ｘｒに対して略直交する（連結ユニット２００に連結される第１の側部３００ａの延設方向に直交する）第２の側部３００ｂ（所定の側部）にカード挿入用スリット３５１を有する。カード挿入用スリット３５１は、挿入されたカードのカード面がカードリーダユニット３００の第１及び第２の主面３００ｆ、３００ｒに平行となり、かつカードのスライド移動方向がカードリーダユニット３００の第２の側部３００ｂの延設方向となるように形成されている。
【００５５】
タブレット型コンピュータ１の連結ユニット２００（の連結部２０５）は、回転軸心Ｘｒから半径方向に離れた側の端部において、カードリーダユニット３００の第２の主面３００ｒ（の連結部３１０）に固定される。
【００５６】
図９は、カードリーダユニット３００とタブレット型コンピュータ１とを相対回転させた状態のいくつかの例を示す図である。図９（ａ）は、カードリーダユニット３００を、タブレット型コンピュータ１に対して閉じ、タブレット型コンピュータ１の第２の主面１００ｒに対向しかつ近接するように回転させた状態を示す。図９（ｂ）は、カードリーダユニット３００を、図９（ａ）の状態から約６０°回転させた状態を示す。図９（ｃ）は、カードリーダユニット３００を、図９（ａ）の状態から約１２０°回転させた状態を示す。図９（ｄ）は、カードリーダユニット３００を、図９（ａ）の状態から約１８０°回転させて、タブレット型コンピュータ１に対して開き、タブレット型コンピュータ１の第１の主面１００ｆに対してほぼ平行とした状態を示す。
【００５７】
図９（ａ）〜（ｄ）に示すように、タブレット型コンピュータ１の連結ユニット２００は、カードリーダユニット３００が、回転軸心Ｘｒを中心として、タブレット型コンピュータ１の所定側部１００ａの側方において、第１の回転位置と第２の回転位置との間で回転可能となるように、カードリーダユニット３００を支持する。第１の回転位置とは、図９Ａに示す、タブレット型コンピュータ１において表示部１０１が配置される第１の主面１００ｆとは反対側の第２の主面１００ｒと、当該カードリーダユニット３００において連結部３１０が設けられた側の第２の主面３００ｒとが対向して略平行となる回転位置である。第２の回転位置とは、タブレット型コンピュータ１の第１の主面１００ｆと当該カードリーダユニット３００の第２の主面３００ｒとが対向して略平行となる回転位置である。
【００５８】
ここで、本実施形態では、第１または第２の回転位置にあるときにおいて、タブレット型コンピュータ１の第２の主面１００ｒと、当該カードリーダユニット３００の第２の主面３００ｒとが平行であり、またカード挿入用スリット３５１は、挿入されたカードのカード面がカードリーダユニット３００の第１及び第２の主面３００ｆ、３００ｒに平行となる。
【００５９】
このような構成によれば、図９（ａ）〜（ｄ）のいずれにおいても、カードＣａをカード挿入用スリット３５１に沿って矢印ＳＬ方向へスライドさせた場合、スライド中のカードＣａは、回転軸心Ｘｒに対して平行となり、かつ回転軸心Ｘｒを中心とする円Ｚについての、現回転位置での接線方向に移動することとなる。したがって、本実施形態によれば、カードリーダユニット３００とタブレット型コンピュータ１とが相対回転可能な回転範囲内の全ての位置において、カードＣａをタブレット型コンピュータ１に対して干渉させることなく、スライドさせることが可能である。そのため、カードリーダ付きタブレット型コンピュータを種々の態様で利用することが可能である。
【００６０】
２．カードリーダ付きタブレット型コンピュータの利用態様
図１０は、カードリーダ付きタブレット型コンピュータを様々な機器姿勢にして利用する利用態様のいくつかの例を説明する図である。
【００６１】
図１０（ａ）は、利用態様の第１の例を示す図である。本例では、カードリーダユニット３００を、タブレット型コンピュータ１に対して約１８０°開いた状態としている。この状態とすることにより、カードリーダユニット３００を、カードリーダ付きタブレット型コンピュータを保持する際のハンドルとして利用することができる。このような状態においても、カードＣａを、タブレット型コンピュータ１と干渉させることなく、カード挿入用スリット３５１に沿って矢印ＳＬで示すようにスライドさせることができる。
【００６２】
図１０（ｂ）は、利用態様の第２の例を示す図である。本例では、カードリーダユニット３００を、タブレット型コンピュータ１の第２の主面１００ｒに最接近させている。この状態とすることにより、ユーザが、タブレット型コンピュータ１に対して操作を行いやすくなる。このような状態においても、カードＣａを、タブレット型コンピュータ１と干渉させることなく、カード挿入用スリット３５１に沿って矢印ＳＬで示すようにスライドさせることができる。
【００６３】
図１０（ｃ）は、利用態様の第３の例を示す図である。本例では、カードリーダユニット３００を、図１０（ａ）の状態から約６０°回転させている。この状態とすることにより、カードリーダ付きタブレット型コンピュータをテーブル等に載置する際のスタンドとして利用することができる。このような状態においても、カードＣａを、タブレット型コンピュータ１に干渉させることなく、カード挿入用スリット３５１に沿って矢印ＳＬで示すようにスライドさせることができる。
【００６４】
３．効果等
本実施形態のカードリーダ付きタブレット型コンピュータ（電子機器）は、
タブレット型コンピュータ１（本体ユニット）と、
カードに記録された情報を読み取るカードリーダユニット３００と、を備える。
タブレット型コンピュータ１及びカードリーダユニット３００は、それぞれ、対向する平行な第１及び第２の主面３００ｆ、３００ｒ（一対の主面）を有する板状の形状を有する。
タブレット型コンピュータ１は、所定側部１００ａ（所定の側部）に、当該所定側部１００ａの延設方向に延びる回転軸心Ｘｒを中心として回転可能な連結ユニット２００（リンク部材）を有する。
連結ユニット２００は、
回転軸心Ｘｒから半径方向に離れた側の端部において、カードリーダユニット３００の第２の主面３００ｒ（一方の主面）に固定され、
カードリーダユニット３００が、回転軸心Ｘｒを中心として、タブレット型コンピュータ１の所定側部１００ａの側方において、タブレット型コンピュータ１の第２の主面１００ｒ（一方の主面）と当該カードリーダユニット３００の第２の主面３００ｒとが対向して略平行となる第１の回転位置と、タブレット型コンピュータ１の第１の主面１００ｆ（他方の主面）と当該カードリーダユニット３００の第２の主面３００ｒとが対向して略平行となる第２の回転位置との間で回転可能となるように、カードリーダユニット３００を支持する。
カードリーダユニット３００は、回転軸心Ｘｒに対して略直交する第２の側部３００ｂ（所定の側部）にカード挿入用スリット３５１を有する。
カード挿入用スリット３５１は、挿入されたカードのカード面がカードリーダユニット３００の第１及び第２の主面３００ｆ、３００ｒに平行となり、かつカードのスライド移動方向がカードリーダユニット３００の第２の側部３００ｂの延設方向となるように形成されている。
【００６５】
本実施形態によれば、カード挿入用スリット３５１に沿ってスライド移動されたカードは、タブレット型コンピュータ１（本体ユニット）とカードリーダユニット３００とがどのような相対回転状態にある場合でも、タブレット型コンピュータ１に当接しない。そのため、ユーザにおいて、カードリーダ付きタブレット型コンピュータ（電子機器）を、タブレット型コンピュータ１とカードリーダユニット３００とを所望の回転状態に回転させて、種々の機器姿勢で利用可能となる。
【００６６】
本実施形態において、
カードリーダユニット３００は、タブレット型コンピュータ１に対して着脱可能なように連結されている。
【００６７】
これにより、カードリーダユニット３００を利用する必要がない場合には、カードリーダユニット３００を取り外して、タブレット型コンピュータ１を単体で利用することが可能となる。
【００６８】
本実施形態において、
本開示の本体ユニットは、タブレット型コンピュータ１である。
【００６９】
これにより、カードリーダユニット３００で読み取られた情報に対して、ケーブル接続等を行うことなく、タブレット型コンピュータ１において種々の処理をすること等が可能となる。
【００７０】
（他の実施形態）
以上のように、本開示における技術の例示として、実施の形態１を説明した。しかしながら、本開示における技術は、これに限定されず、適宜、変更、置き換え、付加、省略などを行った実施の形態にも適用可能である。
そこで、以下、他の実施の形態を説明する。
【００７１】
前記実施形態では、電子機器におけるタブレット型の本体ユニットとして、タブレット型コンピュータ１を示した。しかし、本開示において、タブレット型の本体ユニットはこれに限定されない。タブレット型の本体ユニットは、テレビユニット、折りたたみ式のノートブック型コンピュータなどであってもよい。
【００７２】
以上のように、本開示における技術の例示として、実施の形態を説明した。そのために、添付図面および詳細な説明を提供した。
【００７３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７４】
また、上述の実施の形態は、本開示における技術を例示するためのものであるから、特許請求の範囲またはその均等の範囲において種々の変更、置き換え、付加、省略などを行うことができる。
【産業上の利用可能性】
【００７５】
本開示は、カードリーダユニットを有する電子機器に広く利用可能である。
【符号の説明】
【００７６】
１  タブレット型コンピュータ
１００  本体部
１００ａ  所定側部
１００ｂ  収容凹部
１００ｆ  第１の主面
１００ｒ  第２の主面
１０１  表示部
１１０  筐体
１１１  支持部
１１１ａ  回転軸孔
１１１ｂ  嵌合凹部
１１１  支持部
１１２  ネジ軸
２００  連結ユニット
２０５  連結部
２１０  ハウジング
２１１  Ｕ字状ハウジング
２１１ａ  開口
２１１ｂ  嵌合突部
２１２  連結板
２１２ａ  凹状壁部
２１２ｂ  凸状壁部
２１２ｃ  基準面部
２１２ｄ  縦壁部
２２０  コネクタ
２３１  操作部材
２３１ａ  操作部
２３１ｂ  係合部
２３１ｃ  バネ受け部
２３２  バネ
３００  カードリーダユニット
３００ａ  第１の側部
３００ｂ  第２の側部
３００ｆ  第１の主面
３００ｒ  第２の主面
３０１  貫通孔
３０２  把持部
３１０  連結部
３２０  連結板
３２０ａ  突出部
３２０ｂ  係合凹部
３２０ｃ  凹部
３２０ｄ  基準面部
３３０  コネクタ
３５０  カードリーダ部
３５１  カード挿入用スリット
Ｌｃ  接線
ＳＬ  スライドの方向
Ｘ  操作部材収容空間
Ｘｒ  回転軸心
Ｚ  円
【図１Ａ】
0006464527.tif 000002
【図１Ｂ】
0006464527.tif 000003
【図２Ａ】
0006464527.tif 000004
【図２Ｂ】
0006464527.tif 000005
【図３】
0006464527.tif 000006
【図４Ａ】
0006464527.tif 000007
【図４Ｂ】
0006464527.tif 000008
【図５】
0006464527.tif 000009
【図６Ａ】
0006464527.tif 000010
【図６Ｂ】
0006464527.tif 000011
【図７Ａ】
0006464527.tif 000012
【図７Ｂ】
0006464527.tif 000013
【図７Ｃ】
0006464527.tif 000014
【図８Ａ】
0006464527.tif 000015
【図８Ｂ】
0006464527.tif 000016
【図９】
0006464527.tif 000017
【図１０】
0006464527.tif 000018